(57)【要約】【課題】  密封性を向上し得る衣服の提供。【解決手段】  衣服本体における左右の前身ごろのそれぞれに合わせ部が内側と外側に対で設けられ、内側の合わせ部および外側の合わせ部どうしをそれぞれスライドファスナで開閉する衣服であって、内側の合わせ部および外側の合わせ部をそれぞれ合わせた際に、両合わせ部の間の隙間に挿入される挿入片を左右の前身ごろの何れか一方に設けている衣服。【選択図】  図１
2007023421.tif 000002
【特許請求の範囲】
【請求項１】
衣服本体における左右の前身ごろのそれぞれに合わせ部が内側と外側に対で設けられ、内側の合わせ部および外側の合わせ部どうしをそれぞれスライドファスナで開閉する衣服であって、内側の合わせ部および外側の合わせ部をそれぞれ合わせた際に、両合わせ部の間の隙間に挿入される挿入片を左右の前身ごろの何れか一方に設けていることを特徴とする衣服。
【請求項２】
挿入片は、その外側面に左右幅方向外側が開放された上下方向の堰片を有していることを特徴とする請求項１記載の衣服。
【請求項３】
挿入片は、外側のスライドファスナのテープ部の内側で前身ごろの前面生地に上下方向に縫着されていることを特徴とする請求項１または２記載の衣服。
【請求項４】
挿入片は、前身ごろの前面生地を縦長の袋状に絞込んで前面生地と一体に形成していることを特徴とする請求項１または請求項２記載の衣服。
【請求項５】
挿入片を有する前身ごろに設けたスライドファスナのテープ部と堰片との左右幅方向の距離が上方に移行するのに伴って大きくなるよう構成されていることを特徴とする請求項２ないし請求項４の何れかに記載の衣服。
【請求項６】
内側のスライドファスナのテープ部を内側の合わせ部の生地に縫着し、外側のスライドファスナのテープ部を外側の合わせ部の生地に縫着するとともに、内側のスライドファスナのテープ部および内側の合わせ部の縫着部分と外側のスライドファスナのテープ部および外側の合わせ部の縫着部分とを、衣服本体の左右幅方向に位置ずれさせていることを特徴とする請求項１ないし請求項５の何れかに記載の衣服。
【請求項７】
内側のスライドファスナと外側のスライドファスナとが上下方向に沿って平行であり、且つ両スライドファスナが互いに左右幅方向に位置ずれしていることを特徴とする請求項６記載の衣服。
【請求項８】
内側の合わせ部におけるスライドファスナは上下方向に沿い、外側の合わせ部におけるスライドファスナはその下部が衣服本体の左右幅方向中心に近く且つ上部ほど左右幅方向中心から左右幅方向外方に位置ずれしていることを特徴とする請求項６記載の衣服。
【請求項９】
外側のスライドファスナのテープ部および内側のスライドファスナのテープ部のうち少なくとも外側のスライドファスナのテープ部の表面が防水カバーで覆われていることを特徴とする請求項１ないし請求項８の何れかに記載の衣服。
【発明の詳細な説明】
【技術分野】
【０００１】
本発明は、魚釣りの際に着用するレインスーツなどの衣服に関する。
【背景技術】
【０００２】
雨天時の魚釣りの際にレインスーツが着用されることがあり、この主の衣服は従来から種々提案されている（例えば、特許文献１参照）。この衣服は、合わせ部におけるスライドファスナの上部の内側に着用者の顎とスライドファスナとの接触を防止するための顎ガードを設けている。
【０００３】
一方で、防水性や防寒性をさらに高めるために、衣服の前面に前立てを設けて、合わせ部を前後二重にして、前立てを衣服の前面に重ねるようにしたものがあり、この衣服では前立てを衣服の前面に着脱するのに面ファスナを用いている。
【特許文献１】特開２００４−４４００５号公報
【発明の開示】
【発明が解決しようとする課題】
【０００４】
しかしながら、上記のような衣服では、前立てを衣服の前面に重ねるようにして面ファスナで装着するようにしているから衣服の前面が嵩張ることになり、手元、足元での細かな作業がしにくい。また、前立てを衣服の前面に重ねるようにすると衣服の前面に段差が生じることになり密封度が低下してしまう。このような問題は釣用の衣服に限らず、前面を重ねるようにした衣服に共通の課題といえる。
【０００５】
そこで本発明は上記課題に鑑み、前面の嵩張りを抑えて、手元、足元での細かな作業をし易くした上で、且つ密封性を向上し得る衣服の提供を課題とする。
【課題を解決するための手段】
【０００６】
本発明の衣服は、衣服本体における左右の前身ごろのそれぞれに合わせ部が内側と外側に対で設けられ、内側の合わせ部および外側の合わせ部どうしをそれぞれスライドファスナで開閉する衣服であって、内側の合わせ部および外側の合わせ部をそれぞれ合わせた際に、両合わせ部の間の隙間に挿入される挿入片を左右の前身ごろの何れか一方に設けていることを特徴としている。
【０００７】
上記構成によれば、スライドファスナは同一平面内で閉じられるから、左右の前身ごろの合わせ部が同一面内で合わせられて衣服本体の前面の合わせ部に段差が生じないためひっかかり部分が極力少なくなるかもしくは無くなって、手元、足元での細かな作業がし易くなるとともに密封性が向上し、内側の合わせ部および外側の合わせ部の間には挿入片が介在するからさらに密封性が向上して、水や空気は挿入片によって遮断されて内側へ至りにくく、断熱保温性にも優れる。
【０００８】
本発明の衣服における挿入片は、その外側面に左右幅方向外側が開放された上下方向の堰片を有していることが好ましい。
【０００９】
上記構成によれば、外側のスライドファスナから浸入した水は堰片によって保持されて内側へ至りにくくなるから、密封性が向上する。
【００１０】
本発明の衣服における挿入片は、外側のスライドファスナのテープ部の内側で前身ごろの前面生地に上下方向に縫着されていることが好ましい。
【００１１】
上記構成によれば、挿入片は縫着部分を中心として左右方向へ回動可能となるから、挿入片が内外のスライドファスナの間に存在しても、内側のスライドファスナおよび外側のスライドファスナの開閉が容易になる。
【００１２】
本発明の衣服における挿入片は、前身ごろの前面生地を縦長の袋状に絞込んで前面生地と一体に形成していることが好ましい。
【００１３】
上記構成によれば、挿入片を特別に設けていたとしても、その挿入片を設けるための工程が簡素化されており、したがって衣服の製造が簡単になる。
【００１４】
本発明の衣服は、挿入片を有する前身ごろに設けたスライドファスナのテープ部と堰片との左右幅方向の距離が上方に移行するのに伴って大きくなるよう構成されていることが好ましい。
【００１５】
一般に、衣服の上部の方が下部に比べて雨があたる量が多いといえる。そこで、スライドファスナのテープ部と堰片との左右幅方向の距離が上方に移行するのに伴って大きくすることで、水の内側への浸入を効果的に抑制することが可能となる。
【００１６】
内側のスライドファスナのテープ部を内側の合わせ部の生地に縫着し、外側のスライドファスナのテープ部を外側の合わせ部の生地に縫着するとともに、内側のスライドファスナのテープ部および内側の合わせ部の縫着部分と外側のスライドファスナのテープ部および外側の合わせ部の縫着部分とを、衣服本体の左右幅方向に位置ずれさせていることが好ましい。
【００１７】
縫着部分は一般的に水が浸入しやすいが、スライドファスナの縫着部分どうしを左右幅方向に位置ずれさせていることで、外側のスライドファスナの縫着部分から直接的に内側のスライドファスナの縫着部分に水が浸入するのを回避でき、その分だけ防水性が向上する。
【００１８】
本発明の衣服は、内側のスライドファスナと外側のスライドファスナをそれぞれ内外方向に投影した場合に、内側のスライドファスナと外側スライドファスナどうしに重なり領域がないよう互いのスライドファスナを衣服本体の左右幅方向に位置ずれさせていることが好ましい。
【００１９】
本発明の衣服は、内側のスライドファスナと外側のスライドファスナとが上下方向に沿って平行であり、且つ両スライドファスナが互いに左右幅方向に位置ずれしていることが好ましい。
【００２０】
スライドファスナは他の部分に比べて密封性は劣るが、上記構成のように、両スライドファスナを互いに左右幅方向に位置ずれさせることで、外側のスライドファスナから内側のスライドファスナに至る空気や水などの浸入路が長くなる。したがって、顎当てによって快適な着用性を確保し、且つ浸入路が長くなった分だけ密封性を向上させることが可能となる。
【００２１】
本発明の衣服は、内側の合わせ部におけるスライドファスナは上下方向に沿い、外側の合わせ部におけるスライドファスナはその下部が衣服本体の左右幅方向中心に近く且つ上部ほど左右幅方向中心から左右幅方向外方に位置ずれしていることが好ましい。
【００２２】
この構成のように、スライドファスナの上部ほど左右幅方向中心から左右幅方向外方に位置ずれしていることにより、スライドファスナの開閉操作をその上端部から行う際に衣服が着用者の肩に近い部分で支持されることになるから、その分だけスライドファスナの開閉操作が楽になり、着用性が良好になる。
【００２３】
本発明の衣服では、外側のスライドファスナのテープ部および内側のスライドファスナのテープ部のうち少なくとも外側のスライドファスナのテープ部の表面が防水カバーで覆われていることが好ましい。この構成によれば、防水カバーによってテープ部からの水の浸入が抑制される。
【発明の効果】
【００２４】
本発明の衣服は、左右の前身ごろのそれぞれに合わせ部が内側と外側に対で設けられたもので、外側の合わせ部どうしをスライドファスナで開閉する構成としており、スライドファスナは同一平面内で閉じられるから、左右の前身ごろの合わせ部が同一面内で合わせられて合わせ部に段差が生じないため密封性を向上させることができるとともに、前面の嵩張りを抑えて、手元、足元での細かな作業がし易くなり、且つ内側の合わせ部および外側の合わせ部の間には挿入片が介在するからその分だけさらに密封性を向上させることができる。
【発明を実施するための最良の形態】
【００２５】
以下、本発明の実施形態に係る衣服は、魚釣りの際に着用される衣服を、レインスーツの上衣を例に図面に基づいて説明する。図１は着用状態を示す正面図、図２は着用状態を示す上衣の上部の斜視図、図３は第一スライドファスナを閉じ前立てを開いた状態の全体正面図、図４および図５は第一スライドファスナを閉じ前立てを途中まで開いた状態の部分拡大正面図、図６はネック部での平面断面図、図７は合わせ部を開いた状態の全体正面図、図８は顎ガードを外側に露出させた状態の部分拡大正面図である。
【００２６】
図１ないし図３に示すように、上衣１は左右の前身ごろ３Ａ，３Ｂからなる前身ごろ３と、後身ごろ４と、左右の袖６を有し、さらに左前身ごろ３Ｂに前立て５を設けて内外（前後）の第一，第二スライドファスナ７，８で左右の身ごろ３Ａ，３Ｂそれぞれを内側および外側の左右合わせ部２０，２１で合わせる構成である。また、左右の前身ごろ３Ａ，３Ｂはそれぞれポケット１０，１０を有する。
【００２７】
上衣１は、ネック部（カラー）１１の高いハイネック状の構成を有する。そして該ネック部１１の上端部まで第一，第二スライドファスナ７，８が達していて、着用者Ｈの顎１７に対して外側に第一スライドファスナ７の上端部７ａが位置する。上衣１の外皮生地は防水性、防寒性に優れたものを用いており、またネック部１１が高いため、上衣１は防寒性に優れる。
【００２８】
図３および図４に示すように、内側の第一スライドファスナ７は上衣１の左右幅方向中心Ｐに設けられて、内側の左右合わせ部２０，２０どうしを合わせるものである。内側の第一スライドファスナ７は、そのテープ部１２，１３を上衣１の左右幅方向中心に上下方向（丈方向）に沿うよう縫着することで左右合わせ部２０，２０に設けられている。第一スライドファスナ７の開閉操作は引手７ｂを把持してスライダ７ｃを上下にスライドさせることで行う。
【００２９】
前記前立て（左前立て）５は、左右の前身ごろ３Ａ，３Ｂにおける内側の左右合わせ部２０，２０の外側を覆うように設けられている。該前立て５はネック部１１まで達している。前立て５は左端辺部２９において左前身ごろ３Ｂの前面生地（外皮生地）３ｂに縫着され、その縫着による取付け部２５を支点として左右に回動可能となっている。前立て５は正面視して、下端部５ａの左右幅方向の幅Ｂ１が小さく、且つ上方に移行するほど一定の増加率で左右幅方向の幅Ｂ２が大きくなる形状に形成されている。さらに具体的に、この場合では、前立て５は細縦長の台形形状に形成されており、右端辺部（図１において正面視して左側の端辺）３０は、その上端部３０ａが左右幅方向中心から所定距離だけ右側に位置ずれするよう上下方向に対して直線状に傾斜している。また、左端辺部２９は右端辺部３０と反対方向の傾斜を有している。
【００３０】
第二スライドファスナ８は係止具の一例であり、その下端部８ｂは左右幅方向中心Ｐから右側へ距離δ１だけ位置ずれしており、第二スライドファスナ８の上端部８ｃは左右幅方向中心Ｐから右側へ距離δ２だけ位置ずれしている。
【００３１】
前立て５に、外側の第二スライドファスナ８の一方のエレメント１４ａがテープ部１４を介して縫着されている。右前身ごろ３Ａの外側の左右合わせ部２１，２１に、第二スライドファスナ８の他方のエレメント１５ａが他方のテープ部１５を介して縫着されている。該他方のエレメント１５ａ（テープ部１５）は一方のエレメント１４ａと同一の傾斜を有する。第二スライドファスナ８の下端部８ｂは、左右幅方向中心から右側に位置ずれして配置されている。
【００３２】
そして、上記構成により、第一スライドファスナ７と第二スライドファスナ８を閉じて内外方向（前後方向）に投影した場合、両スライドファスナ７，８は左右幅方向に重なる領域を有することなく、該左右幅方向に位置ずれしている。換言すれば、両スライドファスナ７，８は正面視して互いに左右幅方向に位置ずれしている。
【００３３】
なお、第二スライドファスナ８は、そのテープ部１４，１５およびエレメント１４ａ，１５ａの表面側に塩化ビニル等の防水カバー８ａを施したタイプのものを用いており、これによりテープ部１４，１５に対する防水性を担保している。
【００３４】
また、図６ないし図８に示すように、上衣１は、左前身ごろ３Ｂ（ネック部１１）の上端部に上下方向に長く全体として略長方形の顎ガード２２を有している。該顎ガード２２は第一スライドファスナ７の内側（着用者Ｈの身側）に位置し、左端部において左前身ごろ３Ｂの内面に縫着され、その縫着による取付け部２６を支点として左右に回動可能となっている。顎ガード２２の右端部上部２２ａは斜め（Ｃ面取り状）に切欠かれている。また、顎ガード２２は下方側に向けて先細り形状となっている。
【００３５】
該顎ガード２２は、第一スライドファスナ７の上部を内側から覆う構成である。したがって、上衣１の着用時には、左右の前身ごろ３Ａ，３Ｂの第一スライドファスナ７の内側に顎ガード２２が位置することにより第一スライドファスナ７に顎１７が触れることを防止している。
【００３６】
顎ガード２２を構成する表地２２ｂおよび裏地２２ｃは同じ生地から構成することも可能であるが、この実施形態では表地２２ｂには起毛加工されていない生地が使用され、裏地２２ｃには起毛加工、あるいはメッシュ構造を有する生地（織物や編物）など、肌触りの良好なものが使用されている。
【００３７】
図５および図６に示すように、両スライドファスナ７，８を閉じた際に、両スライドファスナ７，８の間に入り込む阻止片３１（挿入片）が設けられている。この阻止片３１は、風水の浸入を阻止するもので、上下方向全域に亙って第二スライドファスナ８の他方のテープ部１５の内側で右前身ごろ３Ａの前面生地３ａに縫着されている。そしてその右端部においてその縫着による取付け部２７を支点として左右に回動可能となっている。
【００３８】
阻止片３１は、正面視して下端部３１ａの左右幅方向の幅が小さく、且つ上方に移行するほど左右幅方向の幅が大きくなる形状、この場合、細長の台形形状に形成されていて、その上端辺３１ｂは左右幅方向外方に向けて下傾斜している。すなわち、阻止片３１は第一，第二スライドファスナ７，８を閉じた際に両スライドファスナ７，８の間に生じる隙間をほぼ充填する幅および厚みを有する。あるいは少なくとも第一スライドファスナ７の幅方向領域を覆う幅を有する。また、上端辺３１ｂを左右幅方向外方に向けて下傾斜させることで、上衣１の着用時に阻止片３１の上部が着用者Ｈの顎１７に触れないよう構成されている。
【００３９】
さらに阻止片３１に、特に防水機能のための折返し片３２（堰片）が設けられている。この折返し片３２は、阻止片３１の左右幅方向途中に上下方向に縫着されており、阻止片３１と同等の高さを有する。折返し片３２は所定の左右幅方向幅（阻止片３１の左右幅方向幅より小さい幅）を有して、上下端辺部３２ａ，３２ｂはそれぞれ阻止片３１に縫着されて右側を開放した細長の袋形状に形成されている。右前身ごろ３Ａに設けた第二スライドファスナ８のテープ部１５と折返し片３２との左右幅方向の距離Ｌが上方に移行するのに伴って大きくなるよう構成されている。
【００４０】
前立て５の上端部５ｂの左右幅方向中心領域に顎当て部３５が設けられている。この顎当て部３５は、上部の左右幅Ｂ３が下部の左右幅Ｂ４に比べて長い形状に形成されている。この場合、前立て５の上端部５ｂを下方に向けて突出するよう湾曲する正面視半円形に切欠き、この切欠いたスペースを補うよう、柔軟性を有する生地を、前立て５の切欠部周縁部に縫着して固定することで顎当て部３５としている。この柔軟性を有する生地は、上衣１の外皮生地に比べて柔軟性を有するものである。したがって顎当て部３５は上衣１の外皮生地に比べてやや防寒、防水性に劣る。この顎当て部３５は柔軟性を有する一枚の生地を上端辺３５ａで内外に折曲げて袋状に形成している。その上端辺３５ａは前立て５の上端部５ｂと面一にある。この顎当て部３５は、両スライドファスナ７，８を閉じた際に、顎ガード２２の外側にほぼ対応する位置に存在することになる。そして、顎当て部３５を、一枚の生地を上端辺３５ａで内外に折曲げて構成することにより、最も顎１７に当り易い部分に縫着部分がないから顎当て部３５に顎１７が当っても快適な着用感覚が得られる。
【００４１】
上記のような構成の上衣１は、左右の前身ごろ３Ａ，３Ｂどうしを第一スライドファスナ７を閉じて内側の左右合わせ部２０，２０で合わせ、第二スライドファスナ８を閉じると、第一スライドファスナ７の外側を前立て５で覆うようにして左右合わせ部２１，２１で合わせるようになる。このように上衣１は内外側に左右合わせ部２０，２１を有しているからその分だけ防寒性、防水性に優れ、且つ両スライドファスナ７，８を閉じた際に、両スライドファスナ７，８の間に入り込む阻止片３１が設けられているから、さらに効果的な防寒性、防水性が得られる。また、第二スライドファスナ８を閉じると、外側の左右合わせ部２１，２１どうしは同一平面内で閉じられ、左右の前身ごろ３Ａ，３Ｂの左右合わせ部２１，２１どうしに段差が生じない。このため、左右の前身ごろ３Ａ，３Ｂを面ファスナ等を用いて内外で合わせる場合に比べて、水密性および気密性すなわち密封性が向上する。さらに、ネック部１１が高いため、防寒性に優れる。
【００４２】
特に、第一スライドファスナ７と第二スライドファスナ８とは、これらを閉じて内外方向（前後方向）に投影した場合、スライドファスナ７，８どうしは左右幅方向に重なる領域を有することがないよう、互いに左右幅方向に位置ずれしている。一般に、縫着部からは、水や空気（風）が入り易いといえる。しかしながら、この実施形態における上衣１では、第一スライドファスナ７と第二スライドファスナ８とは左右幅方向に位置ずれしており、そのテープ部１２，１３，１４，１５も左右幅方向に位置ずれしている。したがって、第二スライドファスナ８のテープ部１４，１５の縫着部から仮に水が浸入したとしても、内側にある第一スライドファスナ７のテープ部１２，１３の縫着部には、第二スライドファスナ８のテープ部１４，１５の縫着部から浸入した水が直接的に至りにくい。換言すれば、水や空気の浸入路がその分だけながくなるから密封性に優れる。
【００４３】
また、両スライドファスナ７，８を閉じた際に、両スライドファスナ７，８の間に入り込む阻止片３１を設けているから、この阻止片３１によって内側への水の浸入や風の入り込みが抑えられることは前述した通りであり、さらに阻止片３１には折返し片３２を設けているから、第二スライドファスナ８のテープ部１４，１５の縫着部から浸入した水は、折返し片３２の開放側から入って堰き止められるから、内側への水の浸入防止が確かになる。
【００４４】
さらに、前述のように、右前身ごろ３Ａに設けた第二スライドファスナ８のテープ部１５と折返し片３２との左右幅方向の距離Ｌが上方に移行するのに伴って大きくなるよう構成されている。一般的に、雨は上衣１の上部から上衣１の内側に浸入し易いといえる。しかし上記構成のように、テープ部１５と折返し片３２との左右幅方向の距離Ｌを上方に移行するのに伴って大きく設定しているから、その分だけ上衣１の上部では水が内側に浸入しにくい。
【００４５】
上衣１は顎ガード２２を有しているから、第一スライドファスナ７の上端部７ａが着用者Ｈの顎１７に当らなく、顎ガード２２の裏地２２ｃには起毛加工されている生地、あるいはメッシュ構造を有する生地が使用されているから、肌触りおよび気密性が良好であり、ハイネックの構成を有していても快適な着用感覚が得られる。
【００４６】
ところで上衣１は内側外側の両側で左右合わせ部２０，２１を有して、この左右合わせ部２０，２１はネック部１１まで達しているから、着用者Ｈの顎１７は外側でネック部１１に接触することが考えられる。しかしながら、ネック部１１には顎当て部３５が設けられており、この顎当て部３５は柔軟な生地から構成されているから、仮に着用者Ｈの顎１７が顎当て部３５に当っても肌触りが良好であり、快適な着用感覚が得られる。一方で、このような柔軟な生地は水密性や気密性にやや劣るのが一般的である。しかしながら、顎当て３５の上端辺３５ａは着用者Ｈの顎１７が左右幅方向に動いてもその領域に相当する充分な上部の左右幅Ｂ３に設定しつつ、下部の左右幅Ｂ４を小さくした形状により、水密性や気密性を担保する。なお、水密性や気密性をいっそう確実にするために、顎当て３５を構成する生地の裏面に樹脂製のフィルムを施すことも考えられる。
【００４７】
さらに、前立て５は正面視して下端部５ａの左右幅方向の幅Ｂ１が小さく、且つ上方に移行するほど一定の増加率で左右幅方向の幅Ｂ２が大きくなる形状とし、この前立て５に第二スライドファスナ８の一方のテープ部１４を縫着し、右前身ごろ３Ａの左右合わせ部２１，２１に、第二スライドファスナ８の他方のテープ部１５を縫着することで、上記のように第二スライドファスナ８を傾斜させてネック部１１の左右幅方向中心に配置した顎当て部３５を回避している。
【００４８】
また、上記実施形態では、阻止片３１は第二スライドファスナ８の他方のテープ部１５の内側で右前身ごろ３Ａとは別体のものをその前面生地３ａに縫着した構成としたが、これに限定されるものではない。例えば、阻止片３１は右前身ごろ３Ａの前面生地３ａを縦長の袋状に絞込んで前面生地３ａと一体に形成し、取付け部２７を支点として左右に回動可能とすることも考えられる。
【００４９】
尚、顎ガード２２の有無とは無関係（もしくは内外側に合わせ部を有する構成とは無関係）に、スライドファスナを用いて合わせ部を開閉する衣服において、該スライドファスナのスライド方向を着用者の顎に対応する領域から回避させる方向とするとともに、合わせ部の上部における着用者の顎に対応する領域に柔軟な生地からなる顎当てを設ける構成とすることで、スライドファスナを閉じた際にその上端部が着用者の顎に当ることがなく、且つ顎には顎当てが当るから不快感なく着用でき、特に、スライドファスナを上下方向（丈方向）に対して傾斜させることで、着用者にとってスライドファスナのスライド操作、すなわち開閉操作がし易くなる。
【００５０】
上記実施形態では、係止具としてスライドファスナを用いたがこれに限定されるものではなく、充分な密封性を確保可能であれば、スライドファスナの代わりに面ファスナを用いて左右合わせ部２１，２１を開閉するよう構成してもよい。この場合、左右合わせ部２１，２１は前後に重なる構成となる。しかし、左右合わせ部２１，２１の少なくとも内側に位置する合わせ部２１における着用者Ｈの顎１７に当る領域に顎当てを設けておくことで、上衣１を快適に着用することができる。
【図面の簡単な説明】
【００５１】
【図１】本発明の実施形態を示す上衣の着用状態を示す正面図。
【図２】同じく着用状態を示す上衣の上部の斜視図。
【図３】同じく第一スライドファスナを閉じ前立てを開いた状態の全体正面図。
【図４】同じく第一スライドファスナを閉じ前立てを途中まで開いた状態の部分拡大正面図。
【図５】同じく第一スライドファスナを閉じ前立てを途中まで開いた状態の部分拡大正面図。
【図６】同じくネック部での平面断面図。
【図７】同じく合わせ部を開いた状態の全体正面図。
【図８】同じく顎ガードを外側に露出させた状態の部分拡大正面図。
【符号の説明】
【００５２】
１…上衣、３Ａ，３Ｂ…左右の前身ごろ、３…前身ごろ、５…前立て、５ａ…前立ての下端部、７…第一スライドファスナ、８…第二スライドファスナ、８ａ…防水カバー、１１…ネック部、１２〜１５…テープ部、１７…顎、２０，２１…左右合わせ部、２２…顎ガード、３１…阻止片、３１ａ…阻止片の下端部、３１ｂ…阻止片の上端辺、３２…折返し片、３５…顎当て部、Ｈ…着用者、Ｐ…上衣の左右幅方向中心、Ｂ１…下端部の左右幅方向
【図１】
2007023421.tif 000003
【図２】
2007023421.tif 000004
【図３】
2007023421.tif 000005
【図４】
2007023421.tif 000006
【図５】
2007023421.tif 000007
【図６】
2007023421.tif 000008
【図７】
2007023421.tif 000009
【図８】
2007023421.tif 000010